(57)【要約】【目的】ミキシングボウルから注出された飲料の飛び散りおよび後ダレを防止した飲料供給装置を提供することを目的とする。【構成】粉末原料と湯水とを用いて調製した飲料を注出ノズル４０から注出するミキシングボウル３０と、注出ノズル４０から注出された飲料を一端２１ａから他端２１ｂに向けて下降傾斜させた底面２１ｃを有する傾斜溝２１の他端２１ｂ側溝底部に飲料吐出口２０ａを有するトレイ式飲料ノズル２０とを備え、注出ノズル４０には、ノズル４１の周囲に傘形状の飲料跳ね返り防止部材４２を設け、ノズル４１先端にはスリット４３を設けている。【選択図】        図１
2008212180.tif 000002
【特許請求の範囲】
【請求項１】
原料と湯水とを用いて調製した飲料を注出ノズルから注出するミキシングボウルと、一端から他端に向けて下降傾斜させた底面を有する傾斜溝の他端側溝底部に飲料吐出口を有する飲料ノズルと、を備え、前記ミキシングボウルで調製した飲料を前記注出ノズルから前記飲料ノズル傾斜溝の一端側に注出して前記飲料吐出口から飲料容器に吐出する飲料供給装置において、
前記ミキシングボウルの注出ノズルに飲料跳ね返り防止部材を設けたことを特徴とする飲料供給装置。
【請求項２】
前記注出ノズルの先端にスリットを設けたことを特徴とする請求項１に記載の飲料供給装置。
【発明の詳細な説明】
【技術分野】
【０００１】
本発明は、原料と湯水とを用いて調製した飲料を供給する飲料供給装置に関するものである。
【背景技術】
【０００２】
カップ式自動販売機や給茶機などの飲料供給装置で調製した飲料をカップ（飲料容器）に供給するには、粉末原料を貯蔵している原料貯蔵容器と加熱した高温の湯を貯留している温水タンクから所定量の粉末原料と湯とをミキシングボウルに供給する。ミキシングボウルに供給された粉末原料と湯とを攪拌混合した飲料（混合液）を調製して注出ノズルからトレイ式飲料ノズルに注出すると、トレイ式飲料ノズルはベンドステージに載置されているカップに飲料を吐出するようにしている。
【０００３】
ミキシングボウルは、その底部に設けた開口部と向き合うように近接させて鉛直軸に取り付けた弁羽根および攪拌羽根を備え、供給された粉末原料と湯とを攪拌して混合液にするとともに、弁羽根が回転している間は開口部から流出しようとする混合液に外周方向に流れる旋回水流を作って混合液の流出を止める弁の働きをし、弁羽根および攪拌羽根の回転が停止すると混合液を注出する飲料調製器具である（例えば、特許文献１参照）。
【０００４】
また、トレイ式飲料ノズルは、一端から他端に向けて下降傾斜した底面を有する傾斜溝を合成樹脂で一体成型し、この他端側の溝底部には飲料吐出口を設け、粉末原料と湯とを用いて調製した飲料がミキシングボウルに取り付けた注出ノズルから傾斜溝の一端側に注出されると、傾斜溝を流下させて飲料吐出口からカップに吐出する。
【特許文献１】特開平９−５０５７７号公報
【発明の開示】
【発明が解決しようとする課題】
【０００５】
しかしながら、ミキシングボウルに取り付けた注出ノズルからトレイ式飲料ノズルに飲料を注出したときに、注出された飲料が飛び散ってトレイ式飲料ノズルの周囲を汚すという問題、また、飲料の注出後に飲料残りが発生してその飲料が注出ノズルから後ダレとして落下する問題があった。
本発明は、上記実情に鑑みて、ミキシングボウルから注出された飲料の飛び散りおよび後ダレを防止した飲料供給装置を提供することを目的とする。
【課題を解決するための手段】
【０００６】
上記目的を達成するため、本発明の請求項１に係る飲料供給装置は、原料と湯水とを用いて調製した飲料を注出ノズルから注出するミキシングボウルと、一端から他端に向けて下降傾斜させた底面を有する傾斜溝の他端側溝底部に飲料吐出口を有する飲料ノズルと、を備え、前記ミキシングボウルで調製した飲料を前記注出ノズルから前記飲料ノズル傾斜溝の一端側に注出して前記飲料吐出口から飲料容器に吐出する飲料供給装置において、
前記ミキシングボウルの注出ノズルに飲料跳ね返り防止部材を設けたことを特徴とする。
【０００７】
また、本発明の請求項２に係る飲料供給装置は、上述した請求項１において、前記注出ノズルの先端にスリットを設けたことを特徴とする。
【発明の効果】
【０００８】
請求項１の発明によれば、ミキシングボウルの注出ノズルに飲料跳ね返り防止部材を設けたので、注出ノズルから注出した飲料の飛び散りを防止することができる。
また、請求項２の発明によれば、注出ノズル先端にスリットを設けたので、飲料の表面張力がスリットによりなくなり、飲料がノズルから速やかに流下して注出後に飲料残りが発生することがなくなるので、飲料の後ダレが生じなくなる。
【発明を実施するための最良の形態】
【０００９】
以下に添付図面を参照して、本発明に係る飲料供給装置の好適な実施の形態としてのベンドステージに載置したカップに原料と湯水とを用いて調製した飲料を吐出して販売するカップ式自動販売機について詳細に説明する。なお、この実施の形態によりこの発明が限定されるものではない。
図１は、カップ式自動販売機の販売待機時および飲料吐出時のトレイ式飲料ノズル位置、図２は、カップ供給時のトレイ式飲料ノズル位置を示す概念図である。
【００１０】
カップ式自動販売機（飲料供給装置）１は、前面扉２が自販機本体（図示せず）にヒンジで取り付けられ、この前面扉２には利用客がカップ飲料を取り出すための販売扉３が開閉自在に設けられている。この前面扉２の自販機本体側にはカップ供給装置１０が図示しない取り付け金具で固定され、カップ収容部１１の下部にはカップ払い出しコマ（図示せず）の左右方向の回転によりカップ（飲料容器）Ｃを払い出すカップ払い出し部１２、払い出されたカップＣの落下方向を案内するカップシュート１３と、該カップシュート１３下方にはトレイ式飲料ノズル２０およびベンドステージ１４が配設され、カップ払い出し部１２がカップ払い出し動作を行うとカップ収容部１１に収容されているカップＣがカップシュート１３に案内されて落下してベンドステージ１４上に載置される。
【００１１】
粉末原料を貯蔵している原料貯蔵容器（図示せず）と加熱した高温の湯水を貯留している温水タンク（図示せず）からミキシングボウル３０に供給された所定量の粉末原料と湯水とを用いて調製した飲料を注出ノズル４０からトレイ式飲料ノズル２０の傾斜溝２１に注出すると、注出された飲料は傾斜溝２１の一端２１ａ側から下降傾斜させた底面を流下して他端２１ｂ側溝底部に設けた飲料吐出口２０ａからカップＣに吐出される。このトレイ式飲料ノズル２０の下部にはラック２２を設け、駆動モータ２３の駆動軸２３ａに装着したピニオン２４と噛み合わせている。そして、駆動モータ２３が回転駆動されるとその回転方向に応じてガイド部（図示せず）に案内されてトレイ式飲料ノズル２０が図中左右方向に摺動移動する。
【００１２】
このように、粉末原料と湯水とを用いてミキシングボウル３０で調製された飲料を注出ノズル４０から注出すると、注出ノズル４０から注出された飲料を傾斜溝２１の一端２１ａ側から他端２１ｂ側に向けて下降傾斜させた底面を流下させて飲料吐出口２０ａからカップＣに吐出するトレイ式飲料ノズル２０と、飲料吐出口２０ａがベンドステージ１４に供給されたカップＣ開口と対向する位置（図１に示す位置）と、トレイ式飲料ノズル２０がカップ供給装置１０からベンドステージ１４へのカップ供給を妨げない位置（図２に示す位置）とに移動させる駆動モータ２３と、を備え、駆動モータ２３は、飲料吐出時には飲料吐出口２０ａをカップＣ開口と対向する位置に移動させる。
【００１３】
図３は、トレイ式飲料ノズル２０およびミキシングボウル３０、注出ノズル４０を斜め上方から見た鳥瞰図、図４は側面図を示し、粉末原料と湯水とを用いて調製した飲料を注出ノズル４０から注出するミキシングボウル３０と、注出ノズル４０から注出された飲料を一端２１ａから他端２１ｂに向けて下降傾斜させた底面２１ｃを有する傾斜溝２１の他端２１ｂ側溝底部に飲料吐出口２０ａを有するトレイ式飲料ノズル２０を示している。
【００１４】
図５は、ミキシングボウル３０および注出ノズル４０の側断面図を示し、ミキシングボウル３０は、ボウル本体３１と、ボウル本体３１が嵌脱自在に取り付けられる蓋体３２とで構成され、蓋体３２で飲料供給装置内に支持されている。
ボウル本体３１は、粉末原料と湯水との攪拌が効率良く行われるように上部を広く開放した変形ロート状に透明な樹脂材料で形成され、その下部には飲料（混合液）を流出するための開口部３１ａを設けている。そして、開口部３１ａを覆う態様で注出ノズル４０がボウル本体３１の下部に設けた嵌合部３１ｂに着脱自在に取り付けられ、これにより後述する攪拌機構３３の鉛直軸３５の軸端が覆われると共に、開口部３１ａから流出した飲料をトレイ式飲料ノズル２０に注出する。
【００１５】
蓋体３２には、温水タンクに配管で連なる湯供給口３２ａと、湯供給口３２ａを介して温水タンクから供給された湯水から発生する湯気をボウル本体３１の外部に排気するための排気ファン（図示せず）に連通する排気口３２ｂと、が設けられている。
ボウル本体３１に設けた開口部３１ａの上部には攪拌機構３３が収容されており、この攪拌機構３３は、上端部を継手３４を介して攪拌モータ（図示せず）に連結された鉛直軸３５と、鉛直軸３５にそれぞれ取り付けられたリンス羽根３６、攪拌羽根３７および弁羽根３８とで構成されている。
【００１６】
弁羽根３８は、ボウル本体３１の開口部３１ａの上部に近接（例えば、０．３〜１ｍｍ程度の隙間を設けて）させて設けた回転羽根であり、弁羽根３８が回転すると、粉末原料と湯水の混合液を周面および上方向に押し出すことにより生じる遠心力でボウル本体３１内面を外周方向に流れる旋回水流を作り、弁羽根３８が回転している間は混合液の開口部３１ａからの流出を止める弁の働きをする。
【００１７】
攪拌羽根３７は弁羽根３８の上部に（例えば、１０〜２０ｍｍの隙間を設けて）配設した円盤形状をした回転板であり、回転する攪拌羽根３７の傾斜面と底面の摩擦抵抗で周面方向に旋回する混合液の水流を作り、粉末原料と湯水とを攪拌して混合する。
リンス羽根３６は、混合液の液位より高い位置に配設されて常時は空回転しているが、ミキシングボウル３０を洗浄するときには蓋体３２の下面が浸る位置まで湯水を満たして回転させると、湯水に埋没しているリンス羽根３６の回転により湯水の攪拌が行われてボウル本体３１の内面や蓋体３２の下面が洗浄される。
【００１８】
注出ノズル４０は、ノズル４１の周囲に傘形状の飲料跳ね返り防止部材４２を設け、ノズル４１先端にはスリット４３を設けている。
このように、注出ノズル４０には、ノズル４１の周囲に傘形状の飲料跳ね返り防止部材４２を設けているので、ミキシングボウル３０で調製した飲料を注出ノズル４０のノズル４１からトレイ式飲料ノズル２０の傾斜溝２１の一端２１ａに注出して飲料吐出口２０ａからカップＣに吐出してカップ飲料を販売する際に、ノズル４１からトレイ式飲料ノズル２０の傾斜溝２１に注出された飲料が底面２１ｃに当たって飛び跳ねて跳ね返ることがあっても、飲料跳ね返り防止部材４２により跳ね返りが防止されるので飲料の飛び散りがなくなり、トレイ式飲料ノズル２０の周囲を汚すことがなくなる。
【００１９】
また、注出ノズル４０のノズル４１先端にスリット４３を設けたことにより、飲料の表面張力がスリット４３によりなくなり、飲料がノズル４１から速やかに流下して残らなくなるので、後ダレを防止できる。
尚、傘形状の飲料跳ね返り防止部材４２の実施例で説明しているが、飲料跳ね返り防止部材４２を円板形状としてもよい。
【００２０】
上述したように構成したカップ式自動販売機１では、飲料販売待機時には、図１に示しているように、トレイ式飲料ノズル２０はカップシュート１３の内部に進入した位置でカップ払い出し部１２の下方に配置されて停止している。
そして、利用客により販売ボタン（図示せず）が押されて飲料の販売指令が出力されると、先ず、駆動モータ２３を図中上から見て右回転させ、ピニオン２４に噛み合っているラック２２を取り付けているトレイ式飲料ノズル２０を図２に示すようにカップ供給装置１０から後退させる。次に、カップ払い出し部１２にカップ払い出し動作をさせてカップ収容部１１に収容されているカップＣを払い出してカップシュート１３で案内してベンドステージ１４に載置する。
【００２１】
カップＣがベンドステージ１４に載置されると、駆動モータ２３を図中上から見て左回転させ、ピニオン２４に噛み合っているラック２２を取り付けているトレイ式飲料ノズル２０を図１に示しているように飲料吐出口２０ａがカップＣ開口の上方中央部に配置されるように移動させる。飲料吐出口２０ａがカップＣへの最適な飲料吐出位置に移動すると、図示しない原料貯蔵容器から供給された粉末原料と温水タンクから供給された湯水とをミキシングボウル３０で攪拌混合して飲料を調製し、注出ノズル４０からトレイ式飲料ノズル２０の傾斜溝２１の一端２１ａ側に注出する。注出された飲料は傾斜溝２１を他端２１ｂ側に流下してカップＣへの最適な飲料吐出位置に配置されている飲料吐出口２０ａからカップＣに吐出される。このようにして、ミキシングボウル３０で調製された飲料が注出ノズル４０から注出されてトレイ式飲料ノズル２０の傾斜溝２１を流下すると飲料吐出口２０ａからカップＣに吐出されてカップ飲料が出来上がると飲料調製終了ランプ（図示せず）が点灯して利用客にカップ飲料が出来上がったことを知らせる。利用客は販売扉３を開いてカップ飲料を取り出してカップ式自動販売機１によるカップ飲料の販売が終了する。
【図面の簡単な説明】
【００２２】
【図１】本発明の実施の形態に係るカップ式自動販売機（飲料供給装置）の販売待機時および飲料吐出時のトレイ式飲料ノズル位置を示す概念図である。
【図２】本発明の実施の形態に係るカップ式自動販売機（飲料供給装置）のカップ供給時のトレイ式飲料ノズル位置を示す概念図である。
【図３】図１に示したトレイ式飲料ノズルおよびミキシングボウル、注出ノズルを斜め上方から見た鳥瞰図である。
【図４】図１に示したトレイ式飲料ノズルおよびミキシングボウル、注出ノズルの側面図である。
【図５】図１に示したミキシングボウルおよび注出ノズルの側断面図である。
【符号の説明】
【００２３】
１    カップ式自動販売機（飲料供給装置）
１０    カップ供給装置
１１    カップ収容部
１２    カップ払い出し部
１３    カップシュート
１４    ベンドステージ
２０    トレイ式飲料ノズル
２０ａ    飲料吐出口
２１    傾斜溝
２２    ラック
２３    駆動モータ
４０    注出ノズル
４１    ノズル
４２    飲料跳ね返り防止部材
４３    スリット
Ｃ    カップ
【図１】
2008212180.tif 000003
【図２】
2008212180.tif 000004
【図３】
2008212180.tif 000005
【図４】
2008212180.tif 000006
【図５】
2008212180.tif 000007